(57)【要約】【課題】伝送特性のすぐれたテープ撚回型光ファイバケーブルを製造する。【解決手段】複数のテープ心線１に所望の角度２θづつのＳ撚回およびＺ撚回を交互に与えながら案内パイプ６内に導入し、このＳＺ交互撚回におけるＳＺ反転部に接着材２を供給してこれらテープ心線１を互いに固定する工程と、このＳＺ交互撚回を与えられたテープ心線１を１対のラミネートテープ３によって挟んで適宜の張力部材４と共に押出機のクロスヘッド７に送り込み外部被覆５を形成する工程と、これを下流から計尺引取装置８によって引き取る工程とを有し、前記ＳＺ反転部への接着材供給時点をテープ心線１を撚回する回転分線板９の駆動モータ１０の反転動作によって検知制御することを特徴とするテープ心線撚回型光ファイバケーブルの製造方法である。【選択図】　　　　図１
2004037932.tif 000002
【特許請求の範囲】
【請求項１】
複数のテープ心線（１）に所望の角度（２θ）づつのＳ撚回およびＺ撚回を交互に与えながら案内パイプ（６）内に導入し、このＳＺ交互撚回におけるＳＺ反転部に接着材（２）を供給して前記テープ心線（１）を互いに固定する工程と、このＳＺ交互撚回を与えられたテープ心線（１）を１対のラミネートテープ（３）によって挟んで適宜の張力部材（４）と共に押出機のクロスヘッド（７）に送り込み外部被覆（５）を形成する工程と、これを下流から計尺引取装置（８）によって引き取る工程とを有し、前記ＳＺ反転部への接着材供給時点を前記テープ心線（１）を撚回する回転分線板（９）の駆動モータ（１０）の反転動作によって検知制御することを特徴とするテープ心線撚回型光ファイバケーブルの製造方法。
【請求項２】
前記複数のテープ心線（１）に交互に与えられるＳ撚回およびＺ撚回の各撚回工程の間に、撚回を与えない状態で所望の長さ走行させる平行走行区間（１１）を挿入付加する工程と、必要に応じてこの平行走行区間（１１）中の所望の位置においても前記接着材（２）を供給して前記テープ心線（１）を互いに固定する工程とを有し、前記平行走行区間（１１）における接着材供給時点は前記計尺引取装置（８）から出力される計尺信号によって検知制御することを特徴とする、請求項１記載のテープ心線撚回型光ファイバケーブルの製造方法。
【発明の詳細な説明】
【０００１】
【発明の属する技術分野】
この発明はテープ心線撚回型光ファイバケーブルの製造方法、さらに詳しく言えば複数の光ファイバ素線をテープ状にまとめたテープ心線を撚回した形式のテープ心線撚回型光ファイバケーブルの製造方法に関するものである。
【０００２】
【従来の技術】
図３についてテープ心線積層型光ファィバケーブルおよびその製造方法を説明する。テープ心線１は光ファィバの少数本を横並びにテープ状にまとめたものであり、図の左端の複数の送出ボビン１Ａから送りだされ、途中で適宜な手段により積層状態に整理されて中空円管状の案内パイプ６内に導入される。
【０００３】
案内パイプ６はこの中でテープ心線１に接着材２を付けるためのもので、その上部に穿設された開口部には、たとえばホットメルト樹脂のような接着材２を歯車ポンプ２Ａによって電磁開閉弁２Ｂを経由して送給する管路が連通する。
【０００４】
後述するように積層されたテープ心線１はこの案内パイプ６内において長手方向に適宜な間隔をもって接着材２により互いに接着固定され、かつその接着部分の長さも任意に制御される。
【０００５】
このように処理された複数のテープ心線１はその後両側にラミネートテープ３が縦添えされ、また適宜の張力部材４と一緒に外部被覆の押出機のクロスヘッド７内に導入され、ここで皆一体的に外部被覆５が施され、下流の計尺引取装置８によって引き取られる。
【０００６】
テープ心線１を固定するための接着材２の供給・停止の仕組みは、計尺引取装置８における計尺信号が電磁開閉弁２Ｂに送られてこれが開閉することにより行われる。テープ心線１の接着固定部分の長さも、各接着部分相互の長手方向の間隔も同時に、上記の計尺信号によって制御されるのである。
【０００７】
なおテープ心線１をこのように間欠的に固定するのは、たとえば分岐配線時に各テープ心線を分離取り出ししやすくするためである。
【０００８】
【発明が解決しようとする課題】
最近光ファィバの伝送特性を向上させるために、テープ心線を平行に積層するのではなくて、これらに適宜数の撚回を付与することが好ましいことが知られるようになり、これに従ってテープ心線撚回型の光ファイバケーブルの製造方法の開発が求められたが、この場合特に、テープ心線同士を接着固定するための接着材供給の時期をどこに選ぶか、またその時期をどのように制御するかが課題となっている。
【０００９】
【課題を解決するための手段】
この発明は上述の課題をすべて解決するためになされたものであって、請求項１の発明によるその解決手段は、複数のテープ心線に所望の角度づつのＳ撚回およびＺ撚回を交互に与えながら案内パイプ内に導入し、このＳＺ交互撚回におけるＳＺ反転部に接着材を供給して前記テープ心線を互いに固定する工程と、このＳＺ交互撚回を与えられたテープ心線を１対のラミネートテープによって挟んで適宜の張力部材と共に押出機のクロスヘッドに送り込み外部被覆を形成する工程と、これを下流から計尺引取装置によって引き取る工程とを有し、前記ＳＺ反転部への接着材供給時点を前記テープ心線を撚回する回転分線板の駆動モータの反転動作によって検知制御することを特徴とするテープ心線撚回型光ファイバケーブルの製造方法である。
【００１０】
また請求項２の発明によるその解決手段は、前記複数のテープ心線に交互に与えられるＳ撚回およびＺ撚回の各撚回工程の間に、撚回を与えない状態で所望の長さ走行させる平行走行区間を挿入付加する工程と、必要に応じてこの平行走行区間中の所望の位置においても前記接着材を供給して前記テープ心線を互いに固定する工程とを有し、前記平行走行区間における接着材供給時点は前記計尺引取装置から出力される計尺信号によって検知制御することを特徴とする、請求項１記載のテープ心線撚回型光ファイバケーブルの製造方法である。
【００１１】
【発明の実施の形態】
図１および図２（ａ）を参照してこの発明の一実施例を説明する。図１はこの発明方法を実施するための装置であり、図３に用いた符号と同一の符号を用いている。この実施例では図２（ａ）に示すパタンＩに従って、テープ心線１を角度２θだけＳ撚回してＡ点に至り、ここで反転してＺ撚回してＢ点に至り、さらにここで反転して今度はＳ撚回するというようにＳＺ撚回が交互に継続する形である。角度２θについて一つの数値例を挙げれば、たとえば５回転の１８００°である。
【００１２】
図１の装置についてこれを見れば、テープ心線１のＳＺ交互撚回は、回転分線板９が駆動モータ１０によって周期的に正逆反転することによって実行される。符号９で示した回転分線板以外の上流側の同様の回転分線板は、テープ心線１の群をさばくために回転すればよいから、その回転角度は順次小さくてよい。
【００１３】
テープ心線１の各Ｓ、Ｚ撚回部分を保持するために図２（ａ）のＡ点、Ｂ点などのＳＺ反転点において接着材２を供給して接着固定する必要がある。したがってこの実施例のケーブルを製造する場合は、駆動モータ１０の正逆反転の動作信号を電磁開閉弁２Ｂに送ってこれを開閉制御すればよい。
【００１４】
図２（ｂ）はこの発明の別の実施例であるパタンＩＩを示すものであって、これでは先に述べた実施例において、Ｓ撚回とＺ撚回の間にテープ心線に撚回を与えない平行区間を加えたものである。
【００１５】
すなわち角度２θのＳ撚回でＰ点に達した後、撚回のない平行状態のまま、つまり図１の装置で回転分線板９を停止させた状態でテープ心線１をＱ点まで走行させ、Ｑ点に至ってこんどは角度２θのＺ撚回を加えてＲ点に達する、というプロセスである。
【００１６】
この場合撚回の開始点のＱや、停止点のＰなどでは当然接着材２によるテープ心線の接着固定が必要であり、この制御は駆動モータ１０からの動作信号によって行えばいい。
【００１７】
また平行区間ＰＱの中間のＭ点に接着固定個所を設けるためには、計尺引取装置８からの計尺信号を用いればいい。たとえば具体的にＰＱ間が５メートルあったとすれば、駆動モータ１０の停止信号（Ｐ点）を受けてから計尺量で２．５メートルの計尺信号によって電磁開閉弁２Ｂを開けばよいのである。
【００１８】
【発明の効果】
この発明によれば、テープ心線にＳＺの交互の撚回を与えることによって伝送特性の優れたテープ心線撚回型光ファイバケーブルを得ることができ、その撚回した心線を接着固定する場合に、計尺引取装置からの計尺信号と、ＳＺ回転を与える駆動モータの回転開始、同停止および反転などの動作信号を併用することによって、所望の位置に接着材による接着固定個所を設けることが任意かつ容易で正確となる効果がある。
【図面の簡単な説明】
【図１】本発明のテープ撚回型光ファイバケーブルの製造方法を実施する装置例を示す側断面図である。
【図２】本発明の方法によるテープ心線の撚回状態を説明するグラフである。
【図３】従来のテープ撚回型光ファイバケーブルの製造方法を実施する装置例を示す側断面図である。
【符号の説明】
１　　テープ心線
１Ａ　同上送出ボビン
２　　接着材
２Ａ　歯車ポンプ
２Ｂ　電磁開閉弁
３　　ラミネートテープ
４　　張力部材
５　　外部被覆
６　　案内パイプ
７　　押出クロスヘッド
８　　計尺引取装置
９　　回転分線板
１０　駆動モータ
１１　平行走行区間
【図１】
2004037932.tif 000003
【図２】
2004037932.tif 000004
【図３】
2004037932.tif 000005